(57)【要約】【課題】ボンド磁石の充填ゲート数を少なくして製造コストを低減させる。【解決手段】ロータコア（101）及び複数の磁石（100）を有するロータ（11）と、該ロータ（11）が挿通されるステータ（12）とを備え、磁石（100）は、ロータコア（101）を軸方向に貫通している孔である磁石スロット（S100）に充填されたボンド磁石であり、隣合う磁石スロット（S100,S100）同士は、ロータコア（101）の一部である境界部（111）により隔てられており、ボンド磁石は、境界部（111）の直上に配置された射出用のゲート（503）から隣合う２つの磁石スロット（S100,S100）に充填されており、ゲート（503）の射出口（510）の、隣合う磁石スロット（S100,S100）同士を結ぶ方向の径Ｄと、隣合う磁石スロット（S100,S100）同士を結ぶ方向の境界部（111）の幅Ｗとは、Ｄ≧Ｗの関係を有している。【選択図】図５
2016127682.tif 000002
【特許請求の範囲】
【請求項１】
ロータコア（101）及び複数の磁石（100）を有するロータ（11）と、該ロータ（11）が挿通されるステータ（12）とを備え、
前記磁石（100）は、前記ロータコア（101）を軸方向に貫通している孔である磁石スロット（S100）に充填されたボンド磁石であり、
隣合う前記磁石スロット（S100,S100）同士は、前記ロータコア（101）の一部である境界部（111）により隔てられており、
前記ボンド磁石は、前記境界部（111）の直上に配置された射出用のゲート（503）から隣合う２つの前記磁石スロット（S100,S100）に充填されており、
前記ゲート（503）の射出口（510）の、隣合う前記磁石スロット（S100,S100）同士を結ぶ方向の径Ｄと、隣合う前記磁石スロット（S100,S100）同士を結ぶ方向の前記境界部（111）の幅Ｗとは、Ｄ≧Ｗの関係を有していることを特徴とする、回転電気機械。
【請求項２】
前記境界部（111）は、軸方向に対して垂直な断面において、隣合う前記磁石スロット（S100,S100）同士を結ぶ方向の窪み（120）を有していることを特徴とする、請求項１に記載されている回転電気機械。
【請求項３】
前記境界部（111）は、少なくとも前記ゲート（503）の直下の部分が軸方向に窪んでいる、請求項１又は２に記載されている回転電気機械。
【請求項４】
隣合う前記磁石（100,100）において、前記境界部（111）に隣接する部分の径方向外側の極は同じ極である、請求項１から３のいずれか一つに記載されている回転電気機械。
【発明の詳細な説明】
【技術分野】
【０００１】
本発明は、回転電気機械に関するものである。
【背景技術】
【０００２】
従来より、電動機や発電機などの回転電気機械のロータを製造する工程において、ロータコアに形成された磁石スロットに、磁性粉末を含有する溶融樹脂を射出して固化させること（すなわち、射出成形）により、ロータコアの磁石スロットにボンド磁石を充填することが知られている（例えば、特許文献１）。
【先行技術文献】
【特許文献】
【０００３】
【特許文献１】特開２０１４−５７３９２号公報
【発明の概要】
【発明が解決しようとする課題】
【０００４】
特許文献１に係る回転電気機械は、複数の磁石スロットが形成されたロータコアを有するロータと、ロータが挿通されるステータとを備え、複数の磁石スロットの各々が、一対のブリッジ部により両側壁部が構成された内側スロット部と、該一対のブリッジ部からロータコアの外縁へ延びて開口する一対の外側スロット部とに区画され、内側スロット部および一対の外側スロット部に、ボンド磁石が充填されて、ボンド磁石の射出成型に伴うロータコアの変形を抑制することを目的としているが、一対のブリッジ部が存しているため、ボンド磁石を充填するためのゲートを内側スロット部及び外側スロット部の数と同じだけ増やす必要があり、そのため射出成形の費用が増大してしまうという問題があった。
【０００５】
本発明は、かかる点に鑑みてなされたものであり、その目的とするところは、ボンド磁石の充填ゲート数を少なくして製造コストを低減できる回転電気機械を提供することにある。
【課題を解決するための手段】
【０００６】
第１の発明は、ロータコア（101）及び複数の磁石（100）を有するロータ（11）と、該ロータ（11）が挿通されるステータ（12）とを備え、前記磁石（100）は、前記ロータコア（101）を軸方向に貫通している孔である磁石スロット（S100）に充填されたボンド磁石であり、隣合う前記磁石スロット（S100,S100）同士は、前記ロータコア（101）の一部である境界部（111）により隔てられており、前記ボンド磁石は、前記境界部（111）の直上に配置された射出用のゲート（503）から隣合う２つの前記磁石スロット（S100,S100）に充填されており、前記ゲート（503）の射出口（510）の、隣合う前記磁石スロット（S100,S100）同士を結ぶ方向の径Ｄと、隣合う前記磁石スロット（S100,S100）同士を結ぶ方向の前記境界部（111）の幅Ｗとは、Ｄ≧Ｗの関係を有していることを特徴とする回転電気機械である。
【０００７】
前記第１の発明では、射出用のゲート（503）が境界部（111）の直上に配置され、射出口（510）の径Ｄと境界部（111）の幅Ｗとの関係がＤ≧Ｗであり、ゲート（503）から隣合う２つの磁石スロット（S100,S100）にボンド磁石が充填される。
【０００８】
第２の発明は、前記第１の発明において、前記境界部（111）は、軸方向に対して垂直な断面において、隣合う前記磁石スロット（S100,S100）同士を結ぶ方向の窪み（120）を有していることを特徴とする回転電気機械である。
【０００９】
前記第２の発明では、境界部（111）の窪み（120）からボンド磁石が磁石スロット（S100,S100）に充填される。
【００１０】
第３の発明は、前記第１又は第２の発明において、前記境界部（111）は、少なくとも前記ゲート（503）の直下の部分が軸方向に窪んでいる回転電気機械である。
【００１１】
前記第３の発明では、境界部（111）の軸方向の窪みを経由してボンド磁石が磁石スロット（S100,S100）に充填される。
【００１２】
第４の発明は、前記第１から第３の発明のいずれか一つにおいて、隣合う前記磁石（100,100）において、前記境界部（111）に隣接する部分の径方向外側の極は同じ極である回転電気機械である。
【００１３】
前記第４の発明では、境界部（111）を挟んで両側の磁石（100,100）が同じ磁極となる。
【発明の効果】
【００１４】
第１の発明によれば、ボンド磁石の充填ゲート数を少なくして製造コストを低減できる。
【００１５】
第２の発明によれば、ボンド磁石の充填をより確実に行うことができる。
【００１６】
第３の発明によれば、ボンド磁石の充填をより確実に行うことができる。
【００１７】
第４の発明によれば、磁石全体で着磁が均一になる。
【図面の簡単な説明】
【００１８】
【図１】回転電気機械を備えた圧縮機の構成例について説明するための模式的な縦断面図である。
【図２】回転電気機械の構成例について説明するための模式的な横断面図である。
【図３】ロータの構成例について説明するための模式的な横断面図である。
【図４】成形金型の構成例について説明するための模式的な縦断面図である。
【図５】射出ゲートの位置例について説明するための模式的な横断面図である。
【図６】成形金型の下型について説明するための模式的な平面図である。
【図７】ロータの変形例１について説明するための模式的な横断面図である。
【図８】射出ゲートの位置の変形例について説明するための模式的な横断面図である。
【図９】ロータの変形例２について説明するための模式的な横断面図である。
【図１０】ロータの変形例３について説明するための模式的な横断面図である。
【図１１】ロータの変形例４について説明するための模式的な横断面図である。
【図１２】比較例の射出ゲートの位置について説明するための模式的な横断面図である。
【発明を実施するための形態】
【００１９】
以下、本発明の実施形態を図面に基づいて詳細に説明する。以下の好ましい実施形態の説明は、本質的に例示に過ぎず、本発明、その適用物或いはその用途を制限することを意図するものではない。以下の図面においては、説明の簡潔化のため、実質的に同一の機能を有する構成要素を同一の参照符号で示す。
【００２０】
＜実施形態＞
（圧縮機）
図１は、この発明の実施形態による回転電気機械（10）を備えた圧縮機（1）の構成例を示している。圧縮機（1）は、例えば、空気調和機（図示を省略）に用いられ、空気調和機の室外機（図示を省略）に設置されている。圧縮機（1）は、回転電気機械（10）の他に、駆動軸（20）と、圧縮機構（30）と、ケーシング（40）とを備えている。回転電気機械（10）は、ロータ（11）と、ロータ（11）が挿通されるステータ（12）とを備えている。この例では、回転電気機械（10）は、電動機（より具体的には、埋込磁石型モータ）を構成している。回転電気機械（10）は、ケーシング（40）に収容され、駆動軸（20）を介して圧縮機構（30）を駆動するために用いられている。圧縮機構（30）は、スクロール型圧縮機構やロータリ型圧縮機構であっても良いし、その他の圧縮機構であっても良い。
【００２１】
（回転電気機械）
図２は、回転電気機械（10）の横断面を示している。以下の説明において、「軸方向」は、駆動軸（20）の軸心（O）の方向のことであり、「径方向」は、駆動軸（20）の軸方向と直交する方向のことであり、「周方向」は、軸心（O）を中心とした円周の方向のことであり、「外周側」は、軸心（O）からより遠い側のことであり、「内周側」は、軸心（O）により近い側のことである。また、「縦断面」は、軸方向に沿った断面のことであり、「横断面」は、軸方向に直交する断面のことである。回転電気機械（10）は、ロータ（11）と、ステータ（12）とを備えている。
【００２２】
〔ステータ〕
ステータ（12）は、円筒状のステータコア（201）と、コイル（202）とを備えている。
【００２３】
〈ステータコア〉
ステータコア（201）は、電磁鋼板をプレス加工によって打ち抜いて積層板を作製し、複数の積層板を軸方向に積層することにより構成された積層コアである。ステータコア（201）は、バックヨーク部（211）と、複数（この例では、６つ）のティース部（212,212,…）と、複数（この例では、６つ）のツバ部（213,213,…）とを備えている。バックヨーク部（211）は、ステータコア（201）の外周部に形成され、円環状に形成されている。バックヨーク部（211）の外周は、ケーシング（40）の内面に固定されている。ティース部（212）は、バックヨーク部（211）の内周面から径方向に伸びる直方体状に形成されている。ティース部（212,212,…）の間には、コイル（202）が収容されるコイル用スロット（214,214,…）が形成されている。ツバ部（213）は、ティース部（212）の内周側に連続形成されている。ツバ部（213）は、ティース部（212）よりも幅（周方向の長さ）が大きく構成され、内周側の面が円筒面に形成されている。ツバ部（213）の円筒面は、ロータ（11）の外周面（円筒面）と所定の距離（エアギャップ（G））を隔てて対向している。
【００２４】
〈コイル〉
コイル（202）は、いわゆる集中巻方式により、ティース部（212）に巻回されている。すなわち、１つのティース部（212）ごとにコイル（202）が巻回され、巻回されたコイル（202）は、コイル用スロット（214）内に収容されている。これにより、ティース部（212,212,…）の各々において電磁石が形成されている。なお、コイルの巻方式は集中巻方式に限定されず、分布巻方式であってもよい。
【００２５】
〔ロータ〕
次に、図２，３を参照して、ロータ（11）について説明する。ロータ（11）は、円柱状に形成されたロータコア（101）と、複数（この例では、８個）の磁石（100,100,…）とを有している。
【００２６】
〈ロータコア〉
ロータコア（101）は、電磁鋼板をプレス加工によって打ち抜いて積層板を作製し、複数の積層板を軸方向に積層することにより構成されている。ロータコア（101）の中心には、軸穴（S110）が形成されている。軸穴（S110）には、焼き嵌めなどによって駆動軸（20）が固定されている。また、ロータコア（101）には、複数（この例では、８つ）の磁石スロット（S100,S100,…）が形成されている。
【００２７】
−磁石スロット−
磁石スロット（S100,S100,…）は、軸心（O）回りに所定のピッチ（この例では、４５°ピッチ）でロータコア（101）に形成されている。磁石スロット（S100）は、ロータコア（101）を軸方向に貫通している孔であり、周囲をロータコア（101）により囲繞されている。この例では、磁石スロット（S100）の横断面形状は、への字型である。
【００２８】
−磁石−
磁石スロット（S100,S100,…）の各々にボンド磁石が充填されて、磁石（100,100,…）が形成されている。ボンド磁石は、磁性粉末（例えば、ネオジム鉄ボロン系の磁石やフェライト磁石などの粉末）を含有する溶融樹脂からなっており、このボンド磁石を磁石スロット（S100,S100,…）に射出して固化すること（すなわち、射出成形）により磁石（100,100,…）が形成されている。磁石（100,100,…）の形状は磁石スロット（S100,S100,…）と同形状である。
【００２９】
−境界部−
隣接する２つの磁石（100,100）を隔てるロータコア（101）の一部は、同磁極間の境界部（111）と異磁極間の境界部（112）の２種類であって、この２種類は周方向に交互に並んでいる。本実施形態では、横断面において８つの磁石（100,100,…）が全体で正方形となる配置となっており、同磁極間の境界部（111）は正方形の各辺の中央部にあり、異磁極間の境界部（112）は正方形の角部にある。なお、正方形の角部は、径方向外側に少し突き出す形状となっている。
【００３０】
〔成形金型〕
次に、図４，図５，図６を参照して、ボンド磁石の射出成形の際に使用される成形金型（50）について説明する。成形金型（50）は、上型（51）と、下型（52）とによって構成されている。なお、図４は、図６のＶ−Ｖ線における断面に対応している。
【００３１】
〈上型〉
図４のように、上型（51）は、注入口（501）と、スプールランナ（502）と、複数のゲート（503,503,…）とを有している。注入口（501）には、溶融樹脂が注入される。スプールランナ（502）は、注入口（501）に注入された溶融樹脂をゲート（503,503,…）に供給する。ゲート（503,503,…）は、スプールランナ（502）から供給された溶融樹脂を、その先端の射出口（510）から射出する。また、図５に示すように、ゲート（503,503,…）は、ロータコア（101）の同磁極間の境界部（111,111,…）に対応する部分の直上にそれぞれ位置している。この例では、４つの同磁極間の境界部（111,111,…）にそれぞれ対応する４つのゲート（503,503,…）が設けられている。そして、ゲート（503）の射出口（510）の、隣合う磁石スロット（S100,S100）同士を結ぶ方向の径Ｄと、隣合う磁石スロット（S100,S100）同士を結ぶ方向の境界部（111）の幅Ｗとは、Ｄ≧Ｗの関係を有している。
【００３２】
〈下型〉
下型（52）は、非磁性部材によって構成されている。また、下型（52）は、円形状に形成された凹部を有している。図６のように、下型（52）の凹部の内周には、円弧状に形成された複数（この例では、４つ）の永久磁石（504,504,…）と、円弧状に形成された複数（この例では、４つ）のポールピース（505,505,…）が設けられている。さらに、永久磁石（504,504,…）の内周には、円弧状に形成された複数（この例では、４つ）の接触部材（506,506,…）が設けられている。そして、下型（52）の凹部の底面とポールピース（505,505,…）の内周面および接触部材（506,506,…）の内周面とによって、ロータコア（101）を収容するためのロータコア収容部（500）が構成されている。
【００３３】
《永久磁石》
永久磁石（504）は、永久磁石（504）の周方向の一端がＮ極となるとともに周方向の他端がＳ極となるように、周方向に磁化されている。また、永久磁石（504,504,…）は、Ｎ極同士およびＳ極同士が対向するように、所定のピッチ（この例では、９０°ピッチ）で下型（52）の凹部の内周面に固定されている。
【００３４】
《ポールピース》
ポールピース（505）は、磁性材料（例えば、鉄など）によって構成されている。また、ポールピース（505,505,…）は、永久磁石（504,504,…）の間にそれぞれ配置されるように、下型（52）の凹部の内周面に固定されている。ポールピース（505,505,…）の内周面は、ロータコア収容部（500）に収容されたロータコア（101）の外周面に所定の間隔（エアギャップ）を隔てて対向するように、ロータコア（101）の半径よりも大きい曲率半径を有する円筒面状に形成されている。
【００３５】
《接触部材》
接触部材（506）は、非磁性材料（例えば、ステンレスなど）によって構成されている。また、接触部材（506,506,…）は、永久磁石（504,504,…）の内周面にそれぞれ固定されている。
【００３６】
〔ロータの製造工程〕
次に、成形金型（50）を用いたロータ（11）の製造工程について説明する。
【００３７】
〈セット工程〉
まず、ポールピース（505,505,…）の内周面がロータコア（101）の外周面（より具体的には、ロータ（11）の磁極となる部分）に所定の間隔を隔てて対向するとともに、接触部材（506,506,…）の内周面がロータコア（101）の異磁極間の境界部（112,112,…）に該当する部分に最接近するように、下型（52）のロータコア収容部（500）にロータコア（101）が収容される。なお、ロータコア（101）の軸方向の一方の開口端部は、ロータコア収容部（500）の底面によって閉塞されている。次に、ゲート（503,503,…）がロータコア（101）の同磁極間の境界部（111,111,…）に該当する部分の、軸方向の他方の開口端部にそれぞれ対向するように、上型（51）と下型（52）とが重ね合わされる。
【００３８】
〈射出工程〉
次に、射出ユニット（図示を省略）によって、上型（51）の注入口（501）にボンド磁石となる溶融樹脂が注入される。注入口（501）に注入された溶融樹脂は、スプールランナ（502）を経由してゲート（503,503,…）の射出口（510,510,…）からロータコア（101）の磁石スロット（S100,S100,…）にそれぞれ射出される。このとき、図５に示すように、ゲート（503,503,…）は同磁極間の境界部（111,111,…）の直上に配置されて、Ｄ≧Ｗとなっている。このような関係であるので、射出口（510）から射出された溶融樹脂は、隣合う磁石スロット（S100,S100）の中へと容易に充填される。本例では、Ｄの方がＷよりも大きいが，ＤとＷが等しくても、同磁極間の境界部（111）の上面から溶融樹脂が隣合う磁石スロット（S100,S100）の中へと充填されていく。Ｄ＞Ｗである方が溶融樹脂の充填が容易であり好ましい。
【００３９】
ロータコア（101）の磁石スロット（S100,S100,…）への溶融樹脂の充填が完了すると、溶融樹脂が固化される。このようにして、磁石（100,100,…）が形成される。また、永久磁石（504,504,…）からポールピース（505,505,…）を通過してロータコア（101）のボンド磁石に向かう磁束により、磁石（100,100,…）の磁場配向および着磁が行われる。このとき、同磁極間の境界部（111）を挟んで隣接する磁石（100,100）の径方向の外側表面は、同じ極が形成される。一方、異磁極間の境界部（112）を挟んで隣接する磁石（100,100）の径方向の外側表面は、異なる極同士になる。
【００４０】
なお、磁石（100,100,…）には射出口（510,510,…）の跡が残るため、ゲート（503,503,…）の位置は、完成後のロータコア（101）から容易に判明する。
【００４１】
〈取り外し工程〉
次に、上型（51）と下型（52）とが分離され、下型（52）のロータコア収容部（500）からロータ（11）（すなわち、磁石スロット（S100,S100,…）にボンド磁石が充填されたロータコア（101））が取り外される。このようにして、ロータ（11）が製造される。
【００４２】
〔効果〕
以上のように、本例では８つの磁石スロット（S100,S100,…）に対して、４つのゲート（503,503,…）によりボンド磁石を充填できるため射出成形時のコストを低減させることができる。図１２に示す比較例のように、従来は１つの磁石スロット（S100）に対して１つのゲート（503）を対応させていたので、８つのゲート（503,503,…）が必要になっていた。そのため、スプールランナ（502c,502c,…）も８つ必要となり、射出の圧力を高めたり、８つのスプールランナ（502c,502c,…）それぞれに同じ量・速度で溶融樹脂を流す制御が必要になるとともに、溶融樹脂の無駄も多くスプールランナ（502c,502c,…）自体もコスト増の原因となっていた。けれども本例ではゲート（503,503,…）数を比較例の半分にできるため、射出成形時のコストを低減させることができる。
【００４３】
また、ボンド磁石の射出成形の際に、磁石スロット（S100,S100,…）の各々において、異磁極間の境界部（112）に隣接する部分が射出圧によって外へと膨らもうとし、それによりロータコア（101）を径方向外側への膨らまさせて変形させる応力がロータコア（101）にかかる。しかしながら、同磁極間の境界部（111）の存在により、ボンド磁石の射出成形に伴うロータコア（101）の径方向外側への膨らみ変形を抑制することができ、ロータ（11）とステータ（12）との間のエアギャップ（G）の精度劣化を抑制することが可能となる。
【００４４】
さらには、ゲート（503,503,…）は同磁極間の境界部（111,111,…）の直上に配置されてボンド磁石が形成されるため、同じ磁極となる隣接する２つの磁石（100,100））の隣接部分から着磁されることになる。通常は１つの磁極の中央部分は着磁されにくいのであるが、本例ではその部分に最初に充填されるため、中央部分の着磁不良が生じにくく、全体に均一な着磁となる。とくに、比透磁率が１．１以上のボンド磁石を用いると、磁石（100）全体でより均一な着磁となり好ましい。
【００４５】
（ロータコアの変形例１）
図７のように、同磁極間の境界部（111ａ,111ａ,…）が、軸方向に対して垂直な断面において、隣合う磁石スロット（S100ａ,S100ａ）同士を結ぶ方向の窪み（120,120,…）を有している形状のロータコア（101a）及びロータ（11a）であってもよい。この場合、この窪み（120,120,…）により図３のロータコア（101）よりもより確実に溶融樹脂が磁石スロット（S100ａ）内に充填されていく。
【００４６】
変形例１のロータコア（102）を用いた回転電気機械も図２に示す回転電気機械と同じ効果を奏する。
【００４７】
（射出ゲートの位置の変形例）
図８のように、図３のロータコア（101）に対して、ゲート（503,503,…）を異磁極間の境界部（112,112,…）の直上に配置してもよい。本変形例でも、射出口（510）の径は異磁極間の境界部（112）の幅以上の大きさである。本変形例でもゲート（503,503,…）を４つにできるが、スプール（502b）は図５に示す例よりも長くなり、また、図５に示す例よりも磁石（100）全体での着磁の均一性は低くなる。しかし、本変形例のロータコア（101）を用いた回転電気機械も図２に示す回転電気機械と同じ効果を奏する。
【００４８】
（ロータコアの変形例２）
図９のように、磁石スロット（S103,S103,…）の横断面形状すなわち磁石の横断面形状が、円弧の一部であるロータコア（103）及びロータ（13）であってもよい。ロータコア（103）全体では、横断面における各磁石の配置は、正方形の各辺が中心側に窪んだ弧である形状となるような配置である。
【００４９】
本変形例では、同磁極間の境界部（113,113,…）の直上にゲート（513a,513a,…）を配置して射出成形を行う場合と、異磁極間の境界部（114,114,…）の直上にゲート（513b,513b,…）を配置して射出成形を行う場合の２つの製造方法のどちらかを採用することが可能であり、前者の場合は、図５に示す方法と同じ効果を奏し、後者の場合は、図８に示す方法と同じ効果を奏する。
【００５０】
（ロータコアの変形例３）
図１０のように、磁石スロット（S105,S105,…）の横断面形状すなわち磁石の横断面形状がへの字型であって、ロータコア（105）全体において、横断面における各磁石の配置が、正方形の各辺が中心側に窪んだ八角形である形状となるような配置のロータコア（105）及びロータ（15）であってもよい。
【００５１】
本変形例では、同磁極間の境界部（115,115,…）の直上にゲート（515a,515a,…）を配置して射出成形を行う場合と、異磁極間の境界部（116,116,…）の直上にゲート（515b,515b,…）を配置して射出成形を行う場合の２つの製造方法のどちらかを採用することが可能であり、前者の場合は、図５に示す方法と同じ効果を奏し、後者の場合は、図８に示す方法と同じ効果を奏する。
【００５２】
（ロータコアの変形例４）
図１１のように、磁石スロット（S107,S107,…）の横断面形状すなわち磁石の横断面形状がへの字の一方の端をさらに内側に屈曲させた形状であって、ロータコア（107）全体で、横断面における各磁石の配置が、正方形の各辺が途中から外側に屈曲して中央部が外側に突き出した十六角形である形状となるような配置のロータコア（107）及びロータ（17）であってもよい。
【００５３】
本変形例では、同磁極間の境界部（117,117,…）の直上にゲート（517a,517a,…）を配置して射出成形を行う場合と、異磁極間の境界部（118,118,…）の直上にゲート（517b,517b,…）を配置して射出成形を行う場合の２つの製造方法のどちらかを採用することが可能であり、前者の場合は、図５に示す方法と同じ効果を奏し、後者の場合は、図８に示す方法と同じ効果を奏する。
【００５４】
（ロータコアの変形例５）
図３に示すロータコア（101）及びロータ（11）において、同磁極間の境界部（111,111,…）が軸方向に窪んでいる形状であってもよい。例えば、ロータコア（101）を構成する積層板の最上部の１枚または数枚を、同磁極間の境界部（111,111,…）も打ち抜いた形状のものとすることにより、前述のロータコアの形状とすることができる。また、少なくともゲート（503,503,…）直下の部分だけが窪んでいればよい。本変形例のロータコアに対して同磁極間の境界部の直上にゲートを配置して射出成形を行えば、図５に示す方法と同様な効果を奏するとともに、溶融樹脂をより容易に磁石スロット（S100,S100,…）の中に射出することができる。
【００５５】
＜その他の実施形態＞
上述の実施形態及び変形例は本願発明の例示であって、本願発明はこれらの例に限定されず、これらの例に周知技術や慣用技術、公知技術を組み合わせたり、一部置き換えたりしてもよいし、これらの例同士を組み合わせてもよい。また当業者であれば容易に思いつく改変発明も本願発明に含まれる。
【産業上の利用可能性】
【００５６】
以上説明したように、上述の回転電気機械は、圧縮機に用いられる電動機等として有用である。
【符号の説明】
【００５７】
１１            ロータ
１１ａ          ロータ
１２            ステータ
１３            ロータ
１５            ロータ
１７            ロータ
１００          磁石
１０１          ロータコア
１０１ａ        ロータコア
１０３          ロータコア
１０５          ロータコア
１０７          ロータコア
１１１          境界部
１１１ａ        境界部
１１２          境界部
１１３          境界部
１１４          境界部
１１５          境界部
１１６          境界部
１１７          境界部
１１８          境界部
１２０          窪み
５０３          ゲート
５１３ａ        ゲート
５１３ｂ        ゲート
５１５ａ        ゲート
５１５ｂ        ゲート
５１７ａ        ゲート
５１７ｂ        ゲート
５１０          射出口
Ｓ１００        磁石スロット
Ｓ１００ａ      磁石スロット
Ｓ１０３        磁石スロット
Ｓ１０５        磁石スロット
Ｓ１０７        磁石スロット
【図１】
2016127682.tif 000003
【図２】
2016127682.tif 000004
【図３】
2016127682.tif 000005
【図４】
2016127682.tif 000006
【図５】
2016127682.tif 000007
【図６】
2016127682.tif 000008
【図７】
2016127682.tif 000009
【図８】
2016127682.tif 000010
【図９】
2016127682.tif 000011
【図１０】
2016127682.tif 000012
【図１１】
2016127682.tif 000013
【図１２】
2016127682.tif 000014